(57)【要約】【課題】トナーコンテナーに収容されたトナーの使用量を正確に推定する。【解決手段】画像形成装置１は、現像ユニット１２２と、搬送スクリュー３２０を有し、搬送スクリュー３２０を回転駆動して、収容しているトナーを搬送して現像ユニット１２２にトナーを補給するトナーコンテナー１７と、トナーコンテナー１７を使用開始してからトナー画像の画素数をカウントする画素カウント部１０１と、搬送スクリュー３２０の回転数の積算値が予め定められた値に達するまでは搬送スクリュー３２０の回転数の積算値に基づいてトナー使用量を推定し、それ以降は画素カウント部１０１の画素カウント値に係数を乗じてトナー使用量を推定するトナー使用量推定部１０２と、を備える。トナー使用量推定部１０２は、搬送スクリュー３２０の回転数の積算値が予め定められた値に達したときの画素カウント部１０１の画素カウント値に基づいて係数を補正する。【選択図】図３
2015187652.tif 000002
【特許請求の範囲】
【請求項１】
表面に静電潜像が形成される像担持体と、
前記静電潜像にトナーを供給して前記像担持体の表面にトナー画像を形成する現像ユニットと、
搬送スクリューを有し、該搬送スクリューを回転駆動して、収容しているトナーを搬送して前記現像ユニットにトナーを補給するトナーコンテナーと、
前記トナーコンテナーを使用開始してから前記像担持体の表面に形成されるトナー画像の画素数をカウントする画素カウント部と、
前記搬送スクリューの回転数の積算値が予め定められた値に達するまでは前記搬送スクリューの回転数の積算値に基づいてトナー使用量を推定し、前記搬送スクリューの回転数の積算値が予め定められた値に達してから以降は、前記画素カウント部の画素カウント値に係数を乗じてトナー使用量を推定するトナー使用量推定部と、を備え、
前記トナー使用量推定部は、前記搬送スクリューの回転数の積算値が前記予め定められた値に達したときの前記画素カウント部の画素カウント値に基づいて前記係数を補正する画像形成装置。
【請求項２】
前記トナー使用量推定部は、前記搬送スクリューの回転数の積算値が前記予め定められた値に達したときのトナー使用量から標準的な印字画素数を算出し、該標準的な印字画素数と、前記搬送スクリューの回転数の積算値が前記予め定められた値に達したときの前記画素カウント部の画素カウント値との比率を前記係数に乗じて、前記係数を補正する請求項１に記載の画像形成装置。
【請求項３】
前記トナー使用量推定部は、前記比率が予め定められた範囲外である場合には前記係数の補正を行わない請求項２に記載の画像形成装置。
【発明の詳細な説明】
【技術分野】
【０００１】
本発明は、画像形成装置に関し、特に、トナーコンテナー内のトナー残量を推定する技術に関する。
【背景技術】
【０００２】
電子写真方式の画像形成装置では、感光体ドラムや中間転写ベルトの表面に形成された静電潜像に現像ユニットからトナーが供給されることにより現像処理が行われる。トナーはトナーコンテナーに収納されており、現像ユニット内のトナー濃度が低下すると、トナーコンテナーがトナーモーターにより駆動されてトナーコンテナー内のトナーが攪拌パドルにより攪拌されつつ搬送スクリューにより現像ユニットに補給される。したがって、トナーコンテナーの駆動量に応じて、現像ユニットに補給されるトナーの量が決まる。
【０００３】
トナーコンテナーの交換時期を知る上で、トナーコンテナー内のトナーの残量を推定することが非常に重要になる。搬送スクリューが回転駆動することで搬送されるトナー量はほぼ一定であるため、搬送スクリューの回転数の積算値からトナー使用量を推定してトナーコンテナー内のトナー残量を推定することができる。しかし、トナーコンテナー内のトナー量が少なくなってくると、搬送スクリューの１回転当たりに搬送されるトナー量にばらつきが生じるため、搬送スクリューの回転数の積算値からトナー使用量を推定すると誤差が大きくなるおそれがある。そこで、下記特許文献１では、トナーコンテナーの使用開始からある時点まではトナーの補給時間に基づいてトナー使用量を算出し、それ以降はトナー画像の画素数に基づいてトナー使用量を算出している。
【先行技術文献】
【特許文献】
【０００４】
【特許文献１】特開２００５−１７３０８８号公報
【発明の概要】
【発明が解決しようとする課題】
【０００５】
トナー画像の画素数に基づくトナー使用量の算出は、トナー画像の画素数に係数を乗じることで実施することができる。当該係数は、各機器や機種の特性に合わせて予め決められている。しかし、同じ機器や機種でも使用される環境はさまざまであり、使用環境に応じてトナー画像の現像時に使用されるトナー量もさまざまに変わり得る。このように、トナー画像の画素数に基づくトナー使用量の推定精度はあまり高くないという問題がある。
【０００６】
本発明は、上記の問題を解決するためになされたもので、トナーコンテナーに収容されたトナーの使用量を正確に推定することを目的とする。
【課題を解決するための手段】
【０００７】
本発明の一局面に係る画像形成装置は、表面に静電潜像が形成される像担持体と、
前記静電潜像にトナーを供給して前記像担持体の表面にトナー画像を形成する現像ユニットと、
搬送スクリューを有し、該搬送スクリューを回転駆動して、収容しているトナーを搬送して前記現像ユニットにトナーを補給するトナーコンテナーと、
前記トナーコンテナーを使用開始してから前記像担持体の表面に形成されるトナー画像の画素数をカウントする画素カウント部と、
前記搬送スクリューの回転数の積算値が予め定められた値に達するまでは前記搬送スクリューの回転数の積算値に基づいてトナー使用量を推定し、それ以降は前記画素カウント部の画素カウント値に係数を乗じてトナー使用量を推定するトナー使用量推定部と、を備え、
前記トナー使用量推定部は、前記搬送スクリューの回転数の積算値が前記予め定められた値に達したときの前記画素カウント部の画素カウント値に基づいて前記係数を補正するものである。
【発明の効果】
【０００８】
本発明によれば、トナーコンテナーに収容されたトナーの使用量を正確に推定することができる。これにより、トナーコンテナー内のトナー残量を正確に推定することができる。
【図面の簡単な説明】
【０００９】
【図１】本発明の一実施形態に係る画像形成装置の構造を示す正面断面図である。
【図２】トナーコンテナーと現像ユニットとの接続を示す斜視図である。
【図３】カバーを取り外したトナーコンテナーの平面図である。
【図４】トナーコンテナーに設けられたギア機構を示す背面図である。
【図５】トナーコンテナーを使用開始してからのトナー補給量の変化を表すグラフである。
【図６】画像形成装置の主要内部構成を示す機能ブロック図である。
【図７】本発明の一実施形態に係る画像形成装置におけるトナー使用量推定処理のフローチャートである。
【発明を実施するための形態】
【００１０】
以下、本発明の一実施形態に係る画像形成装置について図面を参照して説明する。図１は、本発明の一実施形態に係る画像形成装置の構造を示す正面断面図である。
【００１１】
本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１２】
操作部４７は、画像形成装置１が実行可能な各種動作及び処理について操作者から画像形成動作実行指示や原稿読取動作実行指示等の指示を受け付ける。操作部４７は、表示部４７３を備える。
【００１３】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１４】
画像形成装置１が画像形成動作を行う場合は、上記原稿読取動作により生成された画像データ、又はネットワーク接続されたコンピューターから受信した画像データ、又は内蔵ＨＤＤに記憶されている画像データ等に基づいて、画像形成部１２が、給紙部１４から給紙される記録媒体としての記録紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１５】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた記録紙Ｐに転写させる。この後、定着部１３が、記録紙Ｐ上のトナー像を、熱圧着により記録紙Ｐに定着させる。定着処理の完了したカラー画像形成済みの記録紙Ｐは、排出トレイ１５１に排出される。
【００１６】
画像形成ユニット１２Ｍにおける現像ユニット（現像部）１２２Ｍ、画像形成ユニット１２Ｃにおける現像ユニット（現像部）１２２Ｃ、画像形成ユニット１２Ｙにおける現像ユニット（現像部）１２２Ｙ、及び画像形成ユニット１２Ｂｋにおける現像ユニット（現像部）１２２Ｂｋは、それぞれ、各色の現像処理を行う。
【００１７】
続いて、トナーコンテナー１７Ｍ、トナーコンテナー１７Ｃ、トナーコンテナー１７Ｙ、及びトナーコンテナー１７Ｂｋについて説明する。図２は、トナーコンテナーと現像ユニットとの接続を示す斜視図である。図３はカバーを取り外したトナーコンテナーの平面図である。図４はトナーコンテナーに設けられたギア機構を示す背面図である。図５は、各トナーコンテナー１７Ｍ，１７Ｃ，１７Ｙ，１７Ｂｋを駆動するギア機構の主要部及び駆動モーターの構成を示す図である。
【００１８】
現像ユニット１２２Ｍ，１２２Ｃ，１２２Ｙ，１２２Ｂｋから離れた位置に、例えば、中間転写ベルト１２５を挟んで上方に、マゼンタトナーを収納するトナーコンテナー１７Ｍ、シアントナーを収納するトナーコンテナー１７Ｃ、イエロートナーを収納するトナーコンテナー１７Ｙ、及びブラックトナーを収納するトナーコンテナー１７Ｂｋが、装置本体１１に設けられた図略のトナーコンテナー装着部に着脱可能に装着されている。トナーを使い切った時には、装置本体１１に設けられたカバーを開閉することで、各トナーコンテナー１７Ｍ，１７Ｃ，１７Ｙ，１７Ｂｋが必要に応じて交換できるようになっている。
【００１９】
各トナーコンテナー１７Ｍ，１７Ｃ，１７Ｙ，１７Ｂｋの底面にはトナー供給口３０が設けられている（図３）。
【００２０】
なお、単にトナーコンテナー又は現像ユニットという場合には、トナーコンテナー１７Ｍ，１７Ｃ，１７Ｙ，１７Ｂｋ、又は現像ユニット１２２Ｍ，１２２Ｃ，１２２Ｙ，１２２Ｂｋのいずれかを指す。また、トナーコンテナー１７Ｍ，１７Ｃ，１７Ｙ，１７Ｂｋの構成はいずれも同様であり、及び現像ユニット１２２Ｍ，１２２Ｃ，１２２Ｙ，１２２Ｂの構成はいずれも同様である。以下、トナーコンテナー１７Ｍ，１７Ｃ，１７Ｙ，１７Ｂｋを示す場合は、単に、トナーコンテナー１７という。
【００２１】
コンテナー本体２７には、トナー供給口３０の上方に、搬送手段としての搬送スクリュー３２０が回転可能に設けられている。搬送スクリュー３２０は、コンテナー本体２７の前後両側壁３３、３４に長さ方向両端部が軸支された回転軸３５と、この回転軸３５の外周に同心で設けられたスパイラルフィン３６と、回転軸３５の長さ方向一端（本実施形態では後端）に設けられた搬送ギア３７（図４参照）と、を備えている。
【００２２】
また、コンテナー本体２７には、搬送スクリュー３２０の上部一側（本実施形態では上部左側）に第１攪拌手段としての第１攪拌パドル３８が回転可能に設けられ、搬送スクリュー３２０の上部他側（本実施形態では上部右側）に第２攪拌手段としての第２攪拌パドル４０が回転可能に設けられている。
【００２３】
コンテナー駆動ユニット２６は、装置本体１１の後部に配置されており、トナーコンテナー１７に対して着脱可能に設けられている。コンテナー駆動ユニット２６には、トナーモーター６０（図６）と、トナーモーター６０の出力軸と、当該出力軸の端部に設けられたピニオンと、このピニオンに噛合する駆動ギアとが備えられている。
【００２４】
また、コンテナー本体２７には、コンテナー本体２７に軸支された回転軸と供回りする従動ギア１８Ｂが設けられている。従動ギア１８Ｂは、トナーコンテナー１７を装置本体１１に装着したときに、コンテナー駆動ユニット２６の上記トナーモーター６０側の駆動ギアと噛合する。従動ギア１８Ｂは、第１攪拌パドル３８の回転軸と供回りするギア４３と、第２攪拌パドル４０の回転軸に駆動力を伝達するギア４８と、搬送スクリュー３２０の回転軸と供回りする搬送ギア３７と噛合し、これら第１攪拌パドル３８、第２攪拌パドル４０、及び搬送スクリュー３２０にトナーモーター６０の回転駆動力を伝達する。
【００２５】
当該トナー供給口３０は、装置本体１１に略鉛直姿勢で設置されたパイプ３１０を介して、対応する現像ユニットの内部と接続されている。上記搬送スクリュー３２０が自転によりトナー供給口３０までトナーを搬送することにより、トナーコンテナーからパイプ３１０を介して、対応する現像ユニットにトナーが補給される。このため、搬送スクリュー３２０の回転量に応じて、トナーコンテナーから現像ユニットへのトナー補給量が決定する。
【００２６】
図５は、各トナーコンテナー１７Ｍ，１７Ｃ，１７Ｙ，１７Ｂｋを使用開始してからの各現像ユニット１２２Ｍ，１２２Ｃ，１２２Ｙ，１２２Ｂｋへのトナー補給量の変化を表すグラフである。トナーコンテナー１７が新品に交換されて使用開始されてから暫くの間は、トナーコンテナー１７内にトナーが十分に収容されているため、搬送スクリュー３２０によって搬送されるトナー量（トナー補給量）はほぼ一定で推移する。しかし、トナーコンテナー１７内のトナー量が少なくなってくると、搬送スクリュー３２０によって搬送されるトナー量（トナー補給量）が徐々に減ってくる。そこで、本実施形態に係る画像形成装置１は、トナーコンテナー１７を使用開始してから搬送スクリュー３２の回転数の積算値が予め定められた値に達するタイミングＡまでは、搬送スクリューの回転数の積算値に基づいてトナー使用量を推定し、タイミングＡ以降はトナー画像の画素数（画素カウント値）に基づいてトナー使用量を推定する。
【００２７】
次に、画像形成装置１の構成を説明する。図６は画像形成装置１の主要内部構成を示す機能ブロック図である。
【００２８】
画像形成装置１は、制御ユニット１０を備える。制御ユニット１０は、ＣＰＵ(Central Processing Unit)、ＲＡＭ、ＲＯＭ及び専用のハードウェア回路等から構成され、画像形成装置１の全体的な動作制御を司る。
【００２９】
原稿読取部５は、制御ユニット１０による制御の下、光照射部及びＣＣＤセンサー等を有する上記の読取機構１６３を備える。原稿読取部５は、光照射部により原稿を照射し、その反射光をＣＣＤセンサーで受光することにより、原稿から画像を読み取る。
【００３０】
画像処理部３１は、原稿読取部５で読み取られた画像の画像データを必要に応じて画像処理する。例えば、画像処理部３１は、原稿読取部５により読み取られた画像が画像形成部１２により画像形成された後の品質を向上させるために、シェーディング補正等の予め定められた画像処理を行う。
【００３１】
画像メモリー３２は、原稿読取部５による読取で得られた原稿画像のデータを一時的に記憶したり、画像形成部１２のプリント対象となるデータを一時的に保存する領域である。
【００３２】
画像形成部１２は、原稿読取部５で読み取られた印刷データ、ネットワーク接続されたコンピューター２００から受信した印刷データ等の画像形成を行う。
【００３３】
操作部４７は、画像形成装置１が実行可能な各種動作及び処理について操作者からの指示を受け付ける。操作部４７は、表示部４７３を備える。
【００３４】
表示部４７３は、画像形成装置１が通常動作モードにあるときに、操作画面、プレビュー画面、印刷ジョブ状況の確認画面等の各種表示をする。一方、表示部４７３は、画像形成装置１がスリープモードにあるときには消灯する。
【００３５】
ファクシミリ通信部７１は、図略の符号化／復号化部、変復調部及びＮＣＵ（Network Control Unit）を備え、公衆電話回線網を用いてのファクシミリの送信を行うものである。
【００３６】
ネットワークインターフェイス部９１は、ＬＡＮボード等の通信モジュールから構成され、当該ネットワークインターフェイス部９１に接続されたＬＡＮ等を介して、ローカルエリア内のコンピューター２００等と種々のデータの送受信を行う。
【００３７】
ＨＤＤ９２は、原稿読取部５によって読み取られた原稿画像等を記憶する大容量の記憶装置である。
【００３８】
駆動モーター７０は、画像形成部１２の各回転部材及び搬送ローラー対１９等に回転駆動力を付与する駆動源である。
【００３９】
トナーモーター６０は、各トナーコンテナー１７Ｍ，１７Ｃ，１７Ｙ，１７Ｂｋにおける搬送スクリュー３２０を回転駆動する駆動源である。トナーモーター６０の回転駆動力は、図示しないギア機構を介して搬送スクリュー３２０に伝達される。
【００４０】
トナーセンサー１２０は、各現像ユニット１２２Ｍ，１２２Ｃ，１２２Ｙ，１２２Ｂｋ内に設けられ、各現像ユニット１２２Ｍ，１２２Ｃ，１２２Ｙ，１２２Ｂｋ内のトナー濃度を検出するセンサーである。
【００４１】
制御ユニット１０は、制御部１００と、画素カウント部１０１と、トナー使用量推定部１０２とを備える。
【００４２】
制御部１００は、原稿読取部５、原稿給送部６、画像処理部３１、画像メモリー３２、画像形成部１２、操作部４７、トナーモーター６０、駆動モーター７０、ファクシミリ通信部７１、ネットワークインターフェイス部９１、ＨＤＤ（ハードディスクドライブ）９２、トナーセンサー１２０等と接続され、これら各部の駆動制御を行う。
【００４３】
画素カウント部１０１は、画素形成部１２による画像形成の対象とする画像データ等の情報を、画像生成部（例えば、画像処理部３１が当該画像生成部として機能）から得て、各トナーコンテナー１７Ｍ，１７Ｃ，１７Ｙ，１７Ｂｋを使用開始してから中間転写ベルト１２５の表面に形成される画像データの画素数をカウントする。すなわち、画素カウント部１０１は、各色のトナー画像の画素数のそれぞれについてカウントを行う。
【００４４】
トナー使用量推定部１０２は、各トナーコンテナー１７Ｍ，１７Ｃ，１７Ｙ，１７Ｂｋにおける搬送スクリュー３２０の回転数を積算して（カウントして）、その積算値（当該カウントにより示される搬送スクリュー３２０の総回転数）が予め定められた値に達するまで（例えば、図５におけるタイミングＡまで）は、搬送スクリュー３２０の回転数の積算値に基づいてトナー使用量を推定する。すなわち、トナー使用量推定部１０２は、当該推定によりトナー使用量を検出する。搬送スクリュー３２０の回転数の積算値が予め定められた値に達するまでの期間における、搬送スクリュー３２０の単位回転数当たりのトナー供給量は実験等により予め取得可能であるため、搬送スクリュー３２０の回転数の積算値からトナー使用量を容易に計算可能である。なお、搬送スクリュー３２０の回転数は、トナーモーター６０が例えばステッピングモーターである場合には、駆動信号としてのパルスの数をカウントすることで検出可能である。
【００４５】
また、トナー使用量推定部１０２は、各トナーコンテナー１７Ｍ，１７Ｃ，１７Ｙ，１７Ｂｋにおける搬送スクリュー３２０の回転数の積算値が上記予め定められた値に達してから以降は、トナー画像の画素カウント値に係数を乗じてトナー使用量を推定する。当該係数は、１画素当たりのトナー使用量を表し、例えば、α〔mg/dot〕で表される。なお、トナー使用量推定部１０２は、画素カウント部１０１からトナー画像の画素カウント値を取得することができる。
【００４６】
さらに、トナー使用量推定部１０２は、搬送スクリュー３２０の回転数の積算値が予め定められた値に達した時点（例えば、図５におけるタイミングＡ）における、画素カウント部１０１の画素カウント値に基づいて係数αを補正する。αは、例えば、予め定めた画素数に対する使用量を求めるための係数〔mg/dot〕である。具体的には、トナー使用量推定部１０２は、搬送スクリュー３２０の回転数の積算値が上記予め定められた値に達したときにおけるトナー使用量に対応する標準的な印字画素数をＸ、搬送スクリュー３２０の回転数の積算値が上記予め定められた値に達したときの画素カウント部１０１の画素カウント値（すなわち、トナーコンテナーを使用開始してから実際に印字された総画素数）をＹとして、係数αにＸ／Ｙを乗じて係数αを補正する。例えば、トナー使用量＝画素カウント値×α×Ｘ／Ｙ、で表される。なお、標準的な印字画素数Ｘは、各機器や機種毎に予め定められ、与えられた値である。
【００４７】
このように係数αを補正することにより、例えば、Ｘ＞Ｙ（実際の画像描画量に対してトナー消費が多い）の場合には、係数αが大きくなるように補正され、図５のタイミングＡ以降において、標準よりも多めにトナーが消費されるようにトナー使用量が推定される。一方、Ｘ＜Ｙ（実際の画像描画量に対してトナー消費が少ない）の場合には、係数αが小さくなるように補正され、図５のタイミングＡ以降において、標準よりも少なめにトナーが消費されるようにトナー使用量が推定される。これにより、トナー画像の画素数に基づくトナー使用量の推定に、画像形成装置１の使用環境等に応じたトナー消費傾向を反映させることができ、推定精度を向上させることができる。
【００４８】
次に、画像形成装置１におけるトナー使用量推定について説明する。図７は、画像形成装置１の画像形成装置１におけるトナー使用量推定のフローチャートである。
【００４９】
トナー使用量推定部１０２は、各トナーコンテナー１７Ｍ，１７Ｃ，１７Ｙ，１７Ｂｋが使用開始されてから、各トナーコンテナーの搬送スクリュー３２０の回転数を積算する（Ｓ１）。また、画素カウント部１０１は、各トナーコンテナー１７Ｍ，１７Ｃ，１７Ｙ，１７Ｂｋが使用開始されてから、各色のトナー画像の画素数をそれぞれにカウントする（Ｓ２）。
【００５０】
トナー使用量推定部１０２は、各色についてのトナーコンテナー７Ｍ，１７Ｃ，１７Ｙ，１７Ｂｋの搬送スクリュー３２０の回転数の積算値が予め定められた値に達したか否かを判定し（Ｓ３）、まだ予め定められた値に達していなければ（Ｓ３でＮＯ）、各トナーコンテナーの搬送スクリュー３２０の回転数の積算値に基づいて、各色のトナー使用量を推定する（Ｓ４）。その後、ステップＳ１から同じ処理を繰り返す。
【００５１】
一方、トナー使用量推定部１０２は、各トナーコンテナーの搬送スクリュー３２０の回転数の積算値が予め定められた値に達したと判定したとき（Ｓ３でＹＥＳ）、画素カウント部１０１から画素カウント値を取得する（Ｓ５）。このとき取得した画素カウント値が、上述した画素カウント値Ｙに該当する。
【００５２】
その後、トナー使用量推定部１０２は、画素カウント値Ｙが異常値か否かを判定する（Ｓ６）。例えば、上記の標準的な印字画素数Ｘに対して画素カウント値Ｙが予め定められた極端に大きい値又は小さい値となっている場合、すなわち、Ｘ／Ｙが予め定められた範囲外にある場合、トナー使用量推定部１０２は、画素カウント値Ｙが異常であるとして（Ｓ６でＹＥＳ）、係数αの補正は行わない。一方、Ｘ／Ｙが所定の範囲内にある場合、トナー使用量推定部１０２は、画素カウント値Ｙが正常であるとして（Ｓ６でＮＯ）、係数αを補正する（Ｓ７）。具体的には、トナー使用量推定部１０２は、係数αにＸ／Ｙを乗じて係数αを補正する。
【００５３】
その後、トナー使用量推定部１０２は、各色のトナー画像の画素カウント値に係数α（ステップＳ７で補正された場合は補正後の係数α）を乗じて、各色のトナー使用量を推定する（Ｓ８）。以後は、各色のトナー使用量の検出は、トナー使用量推定部１０２による係数α又は補正後の係数αを用いた各色のトナー使用量推定により行われる。
【００５４】
以上のように、本実施形態によれば、各トナーコンテナー１７Ｍ，１７Ｃ，１７Ｙ，１７Ｂｋに収容されたトナーの使用量を正確に推定することができる。これにより、各トナーコンテナー１７Ｍ，１７Ｃ，１７Ｙ，１７Ｂｋ内のトナー残量を正確に推定することができる。
【００５５】
なお、本発明は上記実施の形態の構成に限られず種々の変形が可能である。例えば、上記実施形態では、本発明に係る画像形成装置の一実施形態としてカラー複合機を用いて説明しているが、これは一例に過ぎず、モノクロ複合機や他の電子機器、例えば、プリンター、コピー機、ファクシミリ装置等の他の画像形成装置でもよい。
【００５６】
また、上記実施形態では、図１乃至図７を用いて上記実施形態により示した構成及び処理は、本発明の一実施形態に過ぎず、本発明を当該構成及び処理に限定する趣旨ではない。
【符号の説明】
【００５７】
１          画像形成装置
１０１      画素カウント部
１０２      トナー使用量推定部
１７Ｍ      トナーコンテナー
１７Ｃ      トナーコンテナー
１７Ｙ      トナーコンテナー
１７Ｂｋ    トナーコンテナー
１２２Ｍ    現像ユニット
１２２Ｃ    現像ユニット
１２２Ｙ    現像ユニット
１２２Ｂｋ  現像ユニット
１２５      中間転写ベルト
１７１      搬送スクリュー
【図１】
2015187652.tif 000003
【図３】
2015187652.tif 000004
【図４】
2015187652.tif 000005
【図５】
2015187652.tif 000006
【図６】
2015187652.tif 000007
【図７】
2015187652.tif 000008
【図２】
2015187652.tif 000009